(57)【要約】【課題】新規の記録動作を開始可能か否かを簡便な構成で、かつ待機時間を考慮して判定可能な生体信号記録装置およびその制御方法を提供すること。【解決手段】生体信号記録装置は、記録開始指示を検出すると、生体信号データの記録を最初に開始する前の予め定められたイベントからの経過時間が予め定められた時間以上と判定されなければ生体信号データの記録を開始する。一方、経過時間が予め定められた時間以上と判定されれば生体信号データの記録を開始しない。【選択図】図２
2018198657.tif 000002
【特許請求の範囲】
【請求項１】
被検者の睡眠を評価するための生体信号データを記録する生体信号記録装置であって、
生体信号データの記録を最初に開始する前の予め定められたイベントからの経過時間を取得する取得手段と、
記録開始指示が検出されると、前記経過時間が予め定められた時間以上か否かを判定し、前記経過時間が前記予め定められた時間以上と判定されれば前記生体信号データの記録を開始せず、前記経過時間が前記予め定められた時間以上と判定されなければ前記生体信号データの記録を開始するように記録手段を制御する制御手段と、
を有することを特徴とする生体信号記録装置。
【請求項２】
前記予め定められたイベントが、前記生体信号記録装置の起動時における前記生体信号記録装置の電源電圧の判定であることを特徴とする請求項１に記載の生体信号記録装置。
【請求項３】
前記予め定められたイベントが、前記生体信号データの記録の最初の開始時の直近に実行した前記生体信号記録装置の電源電圧の判定であることを特徴とする請求項１に記載の生体信号記録装置。
【請求項４】
前記制御手段は、前記記録開始指示が検出されるごとに、前記経過時間が前記予め定められた時間以上と判定されず、かつ、既に記録された前記生体信号データの記録時間または記録回数が予め定められた閾値未満であれば、前記生体信号データの記録を開始するように前記記録手段を制御することを特徴とする請求項１から請求項３のいずれか１項に記載の生体信号記録装置。
【請求項５】
被検者の睡眠を評価するための生体信号データを記録する生体信号記録装置の制御方法であって、
生体信号データの記録を最初に開始する前の予め定められたイベントからの経過時間を取得する取得工程と、
記録開始指示が検出されると、前記経過時間が予め定められた時間以上か否かを判定する判定工程と、
前記経過時間が前記予め定められた時間以上と判定されれば前記生体信号データの記録を開始せず、前記経過時間が前記予め定められた時間以上と判定されなければ前記生体信号データの記録を開始するように記録手段を制御する制御工程と、
を有することを特徴とする生体信号記録装置の制御方法。
【請求項６】
生体信号記録装置が有するコンピュータを、請求項１から請求項４のいずれか１項に記載の生体信号記録装置の取得手段および制御手段として機能させるためのプログラム。
【発明の詳細な説明】
【技術分野】
【０００１】
本発明は生体信号記録装置およびその制御方法に関し、特には被検者の睡眠を評価するための生体信号データを記録する生体信号記録装置およびその制御方法に関する。
【背景技術】
【０００２】
睡眠時における無呼吸または低呼吸の回数（無呼吸低呼吸指数（ＡＨＩ：apnea hypopnea index）とも呼ばれる）が５回／時間以上で、日中の眠気や倦怠感などの症状を伴う場合、睡眠時無呼吸症候群（ＳＡＳ：Sleep Apnea Syndrome）や睡眠時無呼吸低呼吸症候群（ＳＡＨＳ：Sleep Apnea Hypopnea Syndrome）と診断される。以下では便宜上、ＳＡＳとＳＡＨＳを併せて単にＳＡＳと呼ぶ。
【０００３】
ＳＡＳの診断には、終夜睡眠ポリグラフ（polysomnography:ＰＳＧ）検査が必要であるが、終夜睡眠ポリグラフ検査は、通常、病院での宿泊を要し、また多数のセンサ類を装着する必要があるため、被検者の負担が比較的大きい。そのため、終夜睡眠ポリグラフ検査を行う前に、より簡便なスクリーニング検査（簡易ＳＡＳ検査、簡易ポリグラフ検査などとも呼ばれる）を行うことが多い。特許文献１には、スクリーニング検査のための携帯型睡眠評価装置が開示されている。
【先行技術文献】
【特許文献】
【０００４】
【特許文献１】特開２０１４−００８１５９号公報
【発明の概要】
【発明が解決しようとする課題】
【０００５】
携帯型睡眠評価装置は、ホルター心電計と同様、医療機関から被検者に貸し出される小型の装置であり、一般的に電池で動作する。しかし、ホルター心電計の場合は医療機関で被検者に装着した時点で計測および記録（以下、単に記録とする）を開始するのに対し、携帯型睡眠評価装置の場合には被検者が就寝するまでの間は記録が行われず、待機状態である。待機状態では電池を節約するために省電力モードで動作するが、電池の消耗を完全に無くすことはできないし、記録は貸出日に行うとも限らない。
【０００６】
また、ホルター心電計の場合、記録は１回であることが多いが、携帯型睡眠評価装置の場合には、記録を複数回行うこともある。また、記録と記録との間隔が２日以上である場合もありうる。このように、携帯型睡眠評価装置の場合、運用方法が様々であることも相まって、医療機関における貸出時に十分な電池電圧であることをもって、記録開始時点において記録を完了するのに十分な電池電圧が残っていることを保証することはできない。
【０００７】
そのため、記録開始指示を検出した時点で電池電圧を計測し、予め定められた電圧以上である場合には記録を開始し、予め定められた電圧未満であれば記録を行わないようにしたり、前回の記録終了時からの経過時間が予め定められた時間以上であれば記録を行わないようにしたりしていた。
【０００８】
しかしながら、電池電圧は必ずしも安定していないため、記録開始指示を検出した時点で計測した電圧値で記録可否を決定する構成では正しい決定ができない場合があった。また、前回の記録終了時からの経過時間は、装置の起動時（医療機関で電池を装着した時点）からの経過時間や、その間に行われた動作が考慮されていない。そのため、たとえば装置の起動時から前回の記録開始までの経過時間が長い場合、前回の記録終了時からの経過時間が予め定められた時間未満であっても、電圧が不足して正常な記録が行えない場合が発生しうる。
【０００９】
本発明はこのような従来技術の課題に鑑みなされたものであり、その主な目的は、新規の記録動作を開始可能か否かを簡便な構成で、かつ待機時間を考慮して判定可能な生体信号記録装置およびその制御方法を提供することにある。
【課題を解決するための手段】
【００１０】
上述の目的は、被検者の睡眠を評価するための生体信号データを記録する生体信号記録装置であって、生体信号データの記録を最初に開始する前の予め定められたイベントからの経過時間を取得する取得手段と、記録開始指示が検出されると、経過時間が予め定められた時間以上か否かを判定し、経過時間が予め定められた時間以上と判定されれば生体信号データの記録を開始せず、経過時間が予め定められた時間以上と判定されなければ生体信号データの記録を開始するように記録手段を制御する制御手段と、を有することを特徴とする生体信号記録装置によって達成される。
【発明の効果】
【００１１】
このような構成により、本発明によれば、新規の記録動作を開始可能か否かを簡便な構成で、かつ待機時間を考慮して判定可能な生体信号記録装置およびその制御方法を提供することができる。
【図面の簡単な説明】
【００１２】
【図１】本発明の実施形態に係る生体信号記録装置の一例としての携帯型睡眠評価装置の機能構成例を示す図である。
【図２】本発明の実施形態に係る携帯型睡眠評価装置の動作例を説明するためのフローチャートである。
【発明を実施するための形態】
【００１３】
以下、図面を参照して本発明をその例示的な実施形態に基づいて詳細に説明する。
図１は、本発明の実施形態に係る生体信号記録装置の一例としての、携帯型睡眠評価装置（以下、単に睡眠評価装置と呼ぶ）１００の機能構成例を示すブロック図である。なおここで説明する睡眠評価装置はいわゆる簡易ポリグラフ検査装置であり、被検者の睡眠を評価するための生体信号を計測し、生体信号データを記録する。本明細書において生体信号とは、生体の状態や活動を表す信号を意味する。生体信号は、心電図信号や筋電図信号のように直接電気信号として検出される信号と、体温、呼吸、脈、いびきなど、生体の状態や活動をセンサなどによって装置が取り扱いできる形式に変換した信号とを含む。
【００１４】
（構成）
本実施形態に係る睡眠評価装置１００において、ＳｐＯ2センサ１０１は、動脈血酸素飽和度（ＳｐＯ2）を例えば被検者の指先で計測する透過式のセンサである。カニューレ１０２は、被検者の鼻孔近傍に開口を有し、接続された圧力センサ１０６によって、被検者の鼻呼吸波形やいびき音を検出するために用いられる。胸部・腹部センサ１０３は、被検者の呼吸努力運動を検出するためのセンサである。
【００１５】
心電図電極１０４は例えば単極または双極２チャンネルの心電図信号を検出するための電極である。加速度センサ１０５は、被検者の体位（例えば、右側臥位、左側臥位、仰臥位、伏臥位、および立位）を判定したり、体動を検出したりするためのセンサである。
【００１６】
メモリ１０７は、制御部１１０が作業用に用いるメモリであり、例えば計測した生体信号のデータを一時的に蓄積するバッファとして、また表示部１０８のビデオメモリとして用いられる。不揮発性メモリ１１３は、計測した生体信号のデータを記録するための、取り外し不能な内蔵記録媒体であり、本実施形態ではＮＡＮＤ型フラッシュメモリである。表示部１０８は例えば液晶ディスプレイ（ＬＣＤ）を有し、装置の動作状況、計測波形、ユーザ情報、ＧＵＩなどを表示する。
【００１７】
制御部１１０は、例えば１つ以上のプログラマブルプロセッサ（以下ＣＰＵ）、書き換え可能なＲＯＭ、およびＲＡＭを有する。制御部１１０は、ＲＯＭに記憶されたプログラムをＲＡＭにロードしてＣＰＵで実行することにより、睡眠評価装置１００の各部の動作を制御し、睡眠評価装置１００の機能を実現する。ＲＯＭにはＣＰＵが実行するプログラムのほか、各種の設定値、ＧＵＩデータなどが記憶される。なお、ＣＰＵは不揮発性メモリ１１３に記憶されたプログラムをメモリ１０７に読み込んで実行してもよい。
【００１８】
制御部１１０は、睡眠評価装置１００の総記録可能時間、記録済み時間および／または残り記録可能時間、１回あたりの最長記録可能時間、最大記録可能回数、記録済み回数および／または残り記録可能回数といった記録動作に関する値を、制御部１１０内のＲＡＭまたはメモリ１０７に保持し、記録動作に伴って更新する。
【００１９】
入力部１０９は、ユーザ（医療従事者および被検者）が各種の指示や設定を入力するために用いる入力機器の総称である。入力部１０９は、例えばスイッチ、ボタン、ダイヤル、タッチパネル等、物理的な操作を必要とする入力機器はもちろん、音声認識によって指示を認識する構成の入力機器など、物理的な操作を必要としない入力機器を含むことができる。入力部１０９を通じて入力された指示は制御部１１０で検出され、制御部１１０は指示に応じた動作を実行する。
【００２０】
なお、スピーカ等の発音手段を設け、装置の動作状態やエラー発生、操作手順などを音声などによってユーザに報知するように構成してもよい。
【００２１】
記録部１１１は制御部１１０の制御に従い、計測した生体信号のデータを着脱可能な記録媒体の一例であるメモリカード（ＭＣ）１１１０に記録したり、メモリカード１１１０に記録されたデータを読み出したりする。後述するように、本実施形態の睡眠評価装置１００は、計測した生体信号のデータを、不揮発性メモリ１１３とメモリカード１１１０との両方に記録することができる。メモリカード１１１０はＮＡＮＤ型フラッシュメモリを用いている。
【００２２】
外部Ｉ／Ｆ１１２はパーソナルコンピュータなどの外部装置と有線もしくは無線通信するためのインタフェースである。接続可能な外部機器の種類や外部機器との通信プロトコルに特に制限は無い。
電源部１１４は一次電池または二次電池を有し、制御部１１０をはじめとした各部に電源を供給する。制御部１１０は、電源部１１４の電源電圧（電池電圧）を計測することができる。
【００２３】
（記録動作）
次に、本実施形態の睡眠評価装置における生体信号データの記録動作について説明する。なお、ここでは記録時の全体的な動作を説明することを目的としているため、予め各種のセンサ１０１、１０３〜１０５およびカニューレ１０２が被検者の所定部位に装着されており、かつ記録開始条件を満たしているものとする。
【００２４】
入力部１０９から記録開始指示が入力されると、制御部１１０は記録開始日時をメモリ１０７に書き込み、生体信号の計測および生体信号データの記録動作を開始する。制御部１１０は、各種のセンサ１０１，１０３〜１０６から得られる生体信号に対して例えばＡ／Ｄ変換やフィルタ処理など予め定められた処理を適用し、生体信号データを生成する。制御部１１０は生成した生体信号データを、メモリ１０７に順次書き込んでゆく。
【００２５】
カニューレ１０２に接続された圧力センサ１０６は、鼻カニューレまたは口鼻カニューレからの気流を電気信号へ変換する。制御部１１０は、この電気信号に増幅処理およびフィルタ処理を適用し、圧力センサ１０６から得られる信号を周波数成分によってマスク圧の変化を示す信号、呼吸波形を示す信号、気管音（いびき）を示す信号に分離する。なお、カニューレが鼻カニューレであれば鼻呼吸波形が、口の近傍にも開口を有する口鼻カニューレであれば口鼻呼吸波形が得られる。
【００２６】
例えば、制御部１１０は、圧力センサ１０６から得られる電気信号について５００Ｈｚ程度を遮断周波数とするローパスフィルタを適用して増幅した信号を基本信号として求める。そして、制御部１１０は、基本信号に対してさらに２〜３Ｈｚを遮断周波数とするローパスフィルタを適用した信号をマスク圧の信号として求める。また、制御部１１０は、基本信号に対して０．０１〜０．１Ｈｚを遮断周波数とするハイパスフィルタと２〜３Ｈｚを遮断周波数とするローパスフィルタを適用した信号を呼吸信号として求める。さらに、制御部１１０は、基本信号に対して０．０１〜０．１Ｈｚを遮断周波数とするハイパスフィルタと１５０〜２００Ｈｚを遮断周波数とするローパスフィルタを適用した信号を気管音信号として求める。なお、これらは圧力センサ１０６の信号から各種の信号を分離する方法の一例であり、フィルタの周波数特性を変更したり、他の方法を用いたりしてもよい。
【００２７】
また、制御部１１０は、マスク圧の変化を示す信号（マスク圧信号）、呼吸波形を示す信号（呼吸信号）、気管音（いびき）を示す信号（気管音信号）の呼吸関連信号を、それぞれ電圧値から圧力値[cmH2O]に変換して記録する。
また、呼吸努力波形は胸部・腹部センサから得られる。なお、本実施形態では胸骨上窩波形は計測していないが、胸骨上窩波形を取得するように構成してもよい。
【００２８】
制御部１１０は、生体信号データを順次メモリ１０７に書き込むとともに、生体信号データの解析処理を行う。解析処理では、無呼吸や低呼吸区間の有無、継続期間および回数、体位とその変化、ＳｐＯ2の所定％（例えば２〜４％）以上の低下の有無、継続期間および回数、脈拍数（最大、最小、平均）などを取得する。制御部１１０は例えば、無呼吸は１０秒以上呼吸が停止した状態、低呼吸は、換気の明らかな低下（正常呼吸の振幅から３０％以上の減少した状態が１０秒以上）に加え、ＳｐＯ2が３〜４％以上低下した状態として検出することができる。なお、解析処理については公知の方法を用いて行うことができるため、これ以上の詳細については説明を省略する。なお、生体信号データの解析処理は外部機器で実行するようにしてもよい。
【００２９】
制御部１１０は、メモリ１０７に蓄積された生体信号データについて、予め定められた単位時間（第１の時間）分ずつ所定の順序で不揮発性メモリ１１３にデータファイルとして記録する。制御部１１０はまた、メモリカード１１１０への記録が設定されている場合には、生体信号データを記録部１１１に供給し、生体信号データをデータファイルとしてメモリカード１１１０にも記録する。制御部１１０はまた、解析結果のデータについては、第１の時間より長い所定時間（第２の時間）分の生体信号データを記録するごとに不揮発性メモリ１１３（設定に応じてさらにメモリカード１１１０）に記録する。なお、制御部１１０は、不揮発性メモリ１１３とメモリカード１１１０とに、同じ形式のデータファイルとして生体信号データや解析結果のデータを記録する。
【００３０】
制御部１１０はまた、記録中、表示部１０８に記録中である旨の表示や、記録時間、予定の記録終了日時、センサなどの取り付け状態や一部の計測値などを表示することができる。
【００３１】
制御部１１０は記録終了条件を満たしたと判定されるまで上述した計測処理、解析処理、および記録処理を継続して実行する。制御部１１０は、例えば記録時間が設定された自動記録終了時間（例えば８時間）に達した場合、入力部１０９を通じた記録終了指示の入力を検出した場合、残り記録可能時間が０になった場合、記録済み時間が総記録可能時間に達した場合、装置に関する異常を検出した場合などに記録終了条件を満たしたと判定することができる。
【００３２】
（記録可否判定動作）
次に、図２に示すフローチャートを用い、本実施形態の睡眠評価装置１００の記録可否判定動作について、起動時からの一連の動作とともに説明する。
図２のフローチャートは、睡眠評価装置１００の起動時に開始される。なお、本実施形態の睡眠評価装置１００は、電源部１１４に電池が装着されると起動するものとするが、入力部１０９の操作によって起動する構成であってもよい。
【００３３】
Ｓ１０１で制御部１１０は、起動画面を表示部１０８に表示させるなどの起動処理において、電源部１１４の電圧（電池電圧）を計測する。制御部１１０は計測精度を向上させるため、計測を複数回行い、計測値の平均を電池電圧として求めてもよい。そして制御部１１０は、電池電圧が予め定められた閾値以上であるか否かを判定し、閾値以上と判定されればＳ１０５へ、閾値以上と判定されなければＳ１０３へ、処理を進める。ここで、電池電圧の閾値は、正常な記録動作を保証する期間に応じて定めることができる。閾値の定め方については後で詳細に説明する。制御部１１０はまた、電池電圧を判定した日時を表す情報をメモリ１０７に保存する。
【００３４】
Ｓ１０３で制御部１１０は、電池電圧が不足していると判定し、エラー終了処理を実行して動作を終了する。この際、制御部１１０は、電池電圧が不足していることをユーザに報知するメッセージなどを表示部１０８に表示させてもよい。
【００３５】
Ｓ１０５で制御部１１０は、記録待機画面を表示部１０８に表示させ、処理をＳ１０７に進める。記録待機画面は例えば、記録を開始するための操作方法を説明するメッセージ、次の記録が何回目の記録であるか、設定されている自動記録終了時間が何時間かなどの情報を含むことができる。
【００３６】
Ｓ１０７で制御部１１０は、入力部１０９を通じたメニュー移行指示が検出されたか否かを判定し、検出されたと判定されればＳ１２３へ、検出されたと判定されなければＳ１０９へ、処理を進める。
【００３７】
Ｓ１０９で制御部１１０は、入力部１０９を通じた記録開始指示が検出されたか否かを判定し、検出されたと判定されればＳ１３３へ、検出されたと判定されなければＳ１１１へ、処理を進める。
【００３８】
Ｓ１１１で制御部１１０は、Ｓ１０５で記録待機画面を表示してから所定時間経過したか否かを判定し、経過したと判定されればＳ１１３へ処理を進め、経過したと判定されなければＳ１０７へ処理を戻す。
【００３９】
Ｓ１１３で制御部１１０は、睡眠評価装置１００の動作モードを記録モードから省電力モードに移行させる。省電力モードは、所謂スリープモードであり、例えば入力部１０９に対する操作の検出など、予め定められたイベントの検出機能だけを維持することにより、電池の消耗を抑制する動作モードである。具体的には、表示部１０８への電源供給を停止するなど、電源を供給する部分を減らしたり、制御部１１０の動作スピード（ＣＰＵの動作クロック）を低下させたりすることができるが、これらに限定されない。そして、制御部１１０は処理をＳ１１５に進め、入力部１０９に対する操作が検出されるまで待機する。
【００４０】
Ｓ１１５で入力部１０９に対する操作が検出されると、制御部１１０は処理をＳ１１７に進め、動作モードを記録モードに復帰させるとともに、記録待機画面を表示部１０８に表示させ、処理をＳ１１９に進める。
【００４１】
Ｓ１１９で制御部１１０は、入力部１０９を通じた記録開始指示が検出されたか否かを判定し、検出されたと判定されればＳ１３３へ、検出されたと判定されなければＳ１２１へ、処理を進める。
【００４２】
Ｓ１２１で制御部１１０は、Ｓ１１７で記録待機画面を表示してから所定時間経過したか否かを判定し、経過したと判定されればＳ１１３へ、経過したと判定されなければＳ１１９へ処理を戻す。
【００４３】
Ｓ１２３で制御部１１０は、メニュー画面を表示部１０８に表示させ、処理をＳ１２５に進める。
Ｓ１２５で制御部１１０は、入力部１０９を通じた記録モード移行指示が検出されたか否かを判定し、検出されたと判定されればＳ１２７へ、検出されたと判定されなければＳ１２９へ、処理を進める。
【００４４】
Ｓ１２７で制御部１１０は、Ｓ１０１と同様にして電池電圧の計測および判定を行い、電池電圧が予め定められた閾値以上と判定されればＳ１１７へ、閾値以上と判定されなければＳ１０３へ、処理を進める。制御部１１０はまた、電池電圧を判定した日時を表す情報をメモリ１０７に保存する。
【００４５】
Ｓ１２５で制御部１１０は、入力部１０９を通じて記録モード移行指示以外の指示が検出されたか否かを判定し、検出されたと判定されればＳ１３１へ処理を進め、検出されたと判定されなければＳ１２５へ処理を戻す。記録モード移行指示以外の指示に特に制限はないが、例えば設定画面の呼び出し指示、メモリカードの初期化指示などであってよい。
【００４６】
Ｓ１３１で制御部１１０は、Ｓ１２９で検出した指示に応じた処理を実行し、処理をＳ１２３に戻す。
【００４７】
記録開始指示が検出されると、Ｓ１３３で制御部１１０は、検出した指示に応じた記録処理の開始可否を判定する。本実施形態で制御部１１０は、生体信号の記録を最初に開始する前の予め定められたイベントから、記録開始指示が検出されるまでの経過時間が、予め定められた時間以上の場合には記録不可と判定してＳ１３５へ、経過時間が予め定められた時間以上でなければ記録可と判定してＳ１３７へ、処理を進める。
【００４８】
本実施形態では、生体信号の記録を最初に開始する前の予め定められたイベントを、生体信号の最初の記録時の直近に実行した電池電圧の判定処理とする。図２に示す例であれば、起動時における電池電圧の判定（Ｓ１０１）または、メニュー画面から記録モードへの移行指示が検出された際の電池電圧の判定（Ｓ１２７）である。したがって、制御部１１０はこれらの判定処理の実行時には実行日時の情報をメモリ１０７に記憶しておく。しかしながら、電池電圧の判定処理以外のイベント、例えば装置の起動時のような他のイベントであってもよい。
【００４９】
Ｓ１３５で制御部１１０は、Ｓ１０３と同様にエラー処理を実行して動作を終了する。
Ｓ１３７で制御部１１０は、生体信号の計測および記録処理を実行する。Ｓ１３７における動作は、上述した通りである。
【００５０】
Ｓ１３９で制御部１１０は記録終了条件を満たしたか否かを判定し、満たしたと判定されれば計測および記録処理を終了してＳ１４１へ処理を進め、満たしたと判定されなければＳ１３７に処理を戻して計測、解析、および記録処理を継続して実行する。
【００５１】
Ｓ１４１で制御部１１０は、生体信号の記録済み回数、記録済み時間、および設定されている記録時間に基づいて、生体信号の記録がさらに可能であるか否かを判定し、可能と判定されればＳ１１３に処理を戻し、可能と判定されなければ動作を終了する。なお、Ｓ１４１における新規記録の可否決定時に、Ｓ１３３と同様の判定を実施してもよい。この場合、記録終了時にイベントからの経過時間が閾値以上であれば新規記録不可と判定し、処理をＳ１３５に進めればよい。また、記録回数や記録時間に基づく判定よりも、イベントからの経過時間に基づく判定を優先する。
【００５２】
このように、本実施形態によれば、記録開始指示に応じた生体信号の記録可否を、最初に記録を開始する前の予め定められたイベントからの経過時間に応じて判定するようにした。判定は電源電圧（電池電圧）の計測値に基づかないため、電圧が安定していない電源を用いる場合であっても判定結果がばらつかない。また、経過時間を閾値と比較するだけで記録可否の判定が可能であるため、電源電圧を複数回計測して平均値を求めるといった処理が不要であり、判定に要する演算量や時間が少なくてすむ。
【００５３】
特に、予め定められたイベントを、最初に記録を開始する直近に実行された電源電圧の判定処理とした場合、電源電圧がチェックに合格した時点からの経過時間に基づいて記録可否の判定を行うことになるため、例えば省電力モードでの待機時間が長くなった場合には記録を行わないという制御が可能になる。また、予め定められたイベントを、装置の起動時とすれば、起動時からの待機時間を考慮した記録可否の判定が可能である。なお、上述したように、起動時は電池装着時であり、新品もしくは満充電の電池を装着するのが一般的な運用であることを考えれば、実質的に電源電圧がチェックに最初に合格した時点からの経過時間を考慮した記録可否の判定と見なすことができる。
【００５４】
ここで、具体例について説明する。例えば、睡眠評価装置１００の仕様として、総記録可能時間が２４時間であり、２４時間記録１回、１２時間記録２回、８時間記録３回のいずれかが選択可能であるとする。そして、予め定められたイベントから７２時間以上経過している場合には新規の記録を許可しないように制御するものとする。この閾値は、例えば予め定められたイベントからの経過時間が閾値になる直前に、最も消費電力の大きな記録動作（この例では２４時間記録）が開始されても記録が正常に終了できることが保証できる値として決定する。
【００５５】
したがって、２４時間記録１回の設定がなされている場合、記録開始指示がＳ１０９またはＳ１１９で検出された際に、Ｓ１０１またはＳ１２７のうち直近に実行された電圧判定処理の日時からの経過時間が７２時間未満であれば記録が開始され、７２時間以上であれば記録は行われない。
【００５６】
また、１２時間記録２回の設定がなされている場合、最初の記録開始指示がＳ１０９またはＳ１１９で検出された際に、Ｓ１０１またはＳ１２７のうち直近に実行された電圧判定処理の日時からの経過時間が７２時間未満であれば記録が開始され、７２時間以上であれば記録は行われない。記録が行われた場合、Ｓ１４１で新規記録の可否が決定されるが、ここではまだ２回目の記録が可能であるため、Ｓ１１３に移行する。また、最初にＳ１４１を実行した時点ではイベントからの経過時間が閾値時間未満であったとする。
【００５７】
その後、２回目の記録開始指示がＳ１０９またはＳ１１９で検出された際に、Ｓ１０１またはＳ１２７のうち直近に実行された電圧判定処理の日時からの経過時間が７２時間未満であれば記録が開始され、７２時間以上であれば記録は行われない。ここで、２回目の記録指示が検出された時点における経過時間の判定で用いられるイベントの発生日時は、最初の記録開始指示が検出された時点における経過時間の判定で用いられたイベントの発生日時と同じである。
【００５８】
２回目の記録が実行された場合、Ｓ１４１の判定において、総記録可能時間（２４時間）分の記録が行われている（あるいは設定された時間分の記録が完了している）ため、新規記録は不可と判定される。Ｓ１４１の判定時にイベントからの経過時間が閾値時間未満であっても新規記録は不可と判定される。
８時間記録３回の設定がなされている場合の判定処理は１２時間記録２回の設定の場合と同様であるため、説明を省略する。
【００５９】
以上説明したように本実施形態によれば、睡眠評価装置のように起動時から記録開始までの待機時間や、かつ記録間の待機時間が不定な生体信号記録装置において、新規の記録動作を開始可能か否かを、最初の記録を開始する前のイベントからの経過時間に基づいて判定するようにした。そのため、新規の記録動作の開始可否を、簡便な構成で、かつ待機時間を考慮して判定することができ、電池のような電圧が必ずしも安定でない電源を用いる睡眠評価装置において特に有用である。
【００６０】
なお、本発明に係る生体信号記録装置は、一般的に入手可能な、スマートフォンやタブレット端末のような汎用情報処理装置に、図２に示したフローチャートの動作を実行させるプログラム（アプリケーションソフトウェア）として実現することもできる。従って、このようなプログラムおよび、プログラムを格納した記憶媒体（ＣＤ−ＲＯＭ、ＤＶＤ−ＲＯＭ等の光学記録媒体や、磁気ディスクのような磁気記録媒体、半導体メモリカードなど）もまた本発明を構成する。
【符号の説明】
【００６１】
１００…携帯型睡眠評価装置、１１０…制御部、１１１…記録部、１１１０…メモリカード、１１３…不揮発性メモリ、１１４…電源部
【図１】
2018198657.tif 000003
【図２】
2018198657.tif 000004